Podtech/llm-jp-corpus-v4-ja_patent huggingface dataset:
【手続補正書】
【提出日】平成19年8月13日(2007.8.13)
【手続補正１】
【補正対象書類名】明細書
【補正対象項目名】特許請求の範囲
【補正方法】変更
【補正の内容】
【特許請求の範囲】
【請求項１】  固体酸化物燃料電池における発電方法であって、
水素と、湿量基準の容積で約２０％以上のメタンとを含む燃料流を発生するために、水蒸気予備改質器内で５００℃以下の予備改質器内の温度で高炭素（Ｃ2+）炭化水素燃料を水蒸気と反応させ、
高温燃料電池に燃料流と酸化剤とを供給し、メタンを改質し、燃料電池のアノードにおける燃料流の反応と燃料電池のカソードにおける酸化剤の反応とによって発電する発電方法。
【請求項２】  燃料流が、湿量基準の容積で約２５％以上のメタンを含む請求項１に記載の方法。
【請求項３】  燃料流が、湿量基準の容積で約４０％以上のメタンを含む請求項２に記載の方法。
【請求項４】 燃料流が、湿量基準の容積で約５０％以上のメタンを含む請求項３に記載の方法。
【請求項５】 燃料流が、湿量基準の容積で約６０％以上のメタンを含む請求項４に記載の方法。
【請求項６】  予備改質器内の温度が、約４５０℃以下である請求項１ないし５のいずれか１項に記載の方法。
【請求項７】  予備改質器内の温度が、約２５０℃から４５０℃の範囲である請求項６に記載の方法。
【請求項８】  予備改質器内の温度が、約３００℃から４００℃の範囲である請求項７に記載の方法。
【請求項９】  メタン発生器内の水蒸気と燃料との反応が断熱的になされる請求項１ないし８のいずれか１項に記載の方法。
【請求項１０】  メタン発生器内での炭素に対する水蒸気の比率が１．５以下である請求項１ないし９のいずれか１項に記載の方法。
【請求項１１】  メタン発生器内での炭素に対する水蒸気の比率が１．２５以下である請求項１０に記載の方法。
【請求項１２】  メタン発生器内での炭素に対する水蒸気の比率が１．０以下である請求項１１に記載の方法。
【請求項１３】  追加の水蒸気が、水蒸気予備改質器の燃料流の下流側に導入される請求項１０に記載の方法。
【請求項１４】  追加の水蒸気が、アノードの排気流から再利用されている請求項１３に記載の方法。
【請求項１５】  燃料が、Ｃ3+炭化水素燃料である請求項１ないし１４のいずれか１項に記載の方法。
【請求項１６】  燃料が、ＬＰＧ、ガソリン（ペトロール）およびディーゼル油からなる群より選択された請求項１５に記載の方法。
【請求項１７】  燃料が、エタン、プロパン、ブタン、ＬＰＧ、ガソリン（ペトロール）、ディーゼル油、灯油、燃料油、ジェットオイル、ナフサ及びそれらの２種以上の混合物からなる群より選択された請求項１ないし１６のいずれか１項に記載の方法。
【請求項１８】  燃料電池のアノードでの反応が、少なくとも７００℃の温度で行われる請求項１ないし１７のいずれか１項に記載の方法。
【請求項１９】  燃料電池からの排熱が、水蒸気予備改質器へ再利用される請求項１ないし１８のいずれか１項に記載の方法。
【請求項２０】  水蒸気予備改質器内での反応が、高炭素（Ｃ2+）炭化水素燃料の少なくとも９７．５％の転換を生じる請求項１ないし１８のいずれか１項に記載の方法。
【手続補正２】
【補正対象書類名】明細書
【補正対象項目名】０００６
【補正方法】変更
【補正の内容】
【０００６】
水蒸気予備改質器内で、炭化水素燃料を、水素を含んだ燃料電池燃料流に転化する燃料電池の電気発生プロセスの１つの提案が、ＥＰ−Ａ−０４３５７２４で開示されている。予備改質器内の温度は７００〜８５０℃で、得られる生成ガスの組成がＨ2６５〜８０vol％、ＣＯ５〜２０vol％、ＣＯ2５〜２５vol％であると記載されている。
【手続補正３】
【補正対象書類名】明細書
【補正対象項目名】００１３
【補正方法】変更
【補正の内容】
【００１３】
本発明によって、メタンおよび／もしくは水素のみであった燃料源と比べると、実質上幅広い燃料源を燃料電池に用いることができ、燃料源には、エタンや液状高炭化水素、たとえばプロパン、ブタン、液化石油ガス（ＬＰＧ）、ガソリン（ペトロール）、ディーゼル油、灯油、燃料油、ジェットオイル、ナフサおよびそれらの混合物などが含まれ、水蒸気予備改質器内でメタン改質をする必要がないので、高炭化水素燃料源の水蒸気予備改質温度は５００℃以下と低温である。そのため、比較的小さい予備改質反応器を使うことができる。予備改質装置は、低い最大作動温度５００℃と組合わせるので単純化され、そのおかげで安価な予備改質システムを採用することができる。そのような低温水蒸気予備改質は、予備改質器内の炭素析出も軽減する。
【手続補正書】
【提出日】平成19年8月13日(2007.8.13)
【手続補正１】
【補正対象書類名】明細書
【補正対象項目名】特許請求の範囲
【補正方法】変更
【補正の内容】
【特許請求の範囲】
【請求項１】  少なくとも一つのサーバ（ＳＥＲＶ）及び少なくとも一つの集積回路カード（ＣＡＲＤ）を含み両者がネットワークを介して接続されているコンピュータシステムにおけるサービスのコマンドをロードする装置であって、前記カードは第一のコマンド実行プログラム（Ｐ１）と第一のメモリ（Ｍ１）を含み、
第一に、カード（ＣＡＲＤ）は：
−前記第一の実行プログラム（Ｐ１）によって実行されるか、または前記加入者装置（ＳＵ）に送信されてこの加入者装置（ＳＵ）の第二の実行プログラム（Ｐ２）によって実行される、あるサービスに特有のコマンドシーケンスブロック（Ｂ）の少なくとも一つのコマンド（ＣＤ）のために、前記コマンドシーケンスブロック（Ｂ）を、サーバ（ＳＥＲＶ）上又は前記メモリ（Ｍ１）内で探索することができる、シーケンスブロック（Ｂ）を探索するための手段を含み、
第二に、サーバ（ＳＥＲＶ）は、
−あるサービス（Ｓ）に特有の、コマンドのシーケンス（ＳＥＱ）の少なくとも一つのブロック（Ｂ）を前記カードにロードする手段（ＭＬ）
を含むことを特徴とする装置。
【請求項２】  前記第一のメモリ（Ｍ１）は、不揮発性であることを特徴とする、請求項１に記載の装置。
【請求項３】  前記カードは少なくとも一つのサービスに特有のデータを含む第二の不揮発性メモリ（Ｍ２）を含むことを特徴とする請求項１又は２に記載の装置。
【請求項４】  前記サーバ（ＳＥＲＶ）は、前記第１のメモリ（Ｍ１）内に少なくとも一つのシーケンス・ブロック（Ｂ）をバックアップする手段（ＭＳＳＥＱ１，ＭＳＳＥＱ２）を含むことを特徴とする請求項１に記載の装置。
【請求項５】  前記サーバ（ＳＥＲＶ）は、第一のメモリ内で、少なくとも一つのシーケンス・ブロック（Ｂ）を変更し、消去し、追加することができる更新手段（ＭＵ）を含むことを特徴とする請求項１に記載の装置。
【請求項６】  前記第一のメモリ（Ｍ１）は、第一および第二の領域（Ｚ１，Ｚ２）を含み、前記第一の領域（Ｚ１）は、前記サーバによる読み取り並びに書き込みアクセス、および前記カードによる読み取りアクセスを有し、前記第二の領域（Ｚ２）は、前記カードによる読み取り並びに書き込みアクセスを有することを特徴とする請求項１に記載の装置。
【請求項７】  前記カード（ＣＡＲＤ）は、データ要求手段（ＲＤ）であって、前記データは、サービス・サーバによって送信される前記手段を含むことを特徴とする請求項１に記載の装置。
【請求項８】  前記カードは、コマンド・シーケンス・ブロックを解釈する手段（ＭＩ）を含むことを特徴とする請求項１に記載の装置。
【請求項９】  少なくとも一つのサーバ（ＳＥＲＶ）及び集積回路カード（ＣＡＲＤ）を含み両者がネットワークを介して接続されているコンピュータシステムにおいてコマンドを実行する方法であって、前記カードは第一のコマンド実行プログラム（Ｐ１）と第一のメモリ（Ｍ１）を含み、
−サービスに特有のコマンドシーケンスブロックの全て又はいくつかを少なくとも一つのサーバ（ＳＥＲＶ）上で、そして追加部分がある場合はそれを前記メモリ（Ｍ１）内でバックアップするステップと、
−各コマンドシーケンスブロックを前記サーバ（ＳＥＲＶ）又は前記メモリ（Ｍ１）上で探索するステップとを含み、
そして、探索されたシーケンスブロック（Ｂ）が前記サーバ（ＳＥＲＶ）に格納されている場合は、このブロックをサーバ（ＳＥＲＶ）から前記カード（ＣＡＲＤ）へロードして前記第一のプログラム（Ｐ１）を用いて実行するか、又は、前記カード（ＣＡＲＤ）に接続された加入者装置（ＳＵ）内の第二のプログラム（Ｐ２）を用いて実行することを特徴とする方法。
【請求項１０】  前記シーケンスブロック（Ｂ）を前記サーバ（ＳＥＲＶ）から前記メモリ（Ｍ１）にバックアップするステップを含む、請求項９に記載の方法。
【請求項１１】  更新手段（ＭＵ）によって、前記第一のメモリ（Ｍ１）内で、サービス（Ｓ）に特有の少なくとも一つのコマンドシーケンスブロック（Ｂ）を更新するステップを含む、請求項９又は１０に記載の方法。
【請求項１２】  前記サーバ（ＳＥＲＶ）上でのシーケンスブロック（Ｂ）の探索は、データ要求（ＲＤ）を前記カードからサーバへ送信することを含む、請求項９に記載の方法。
【請求項１３】  少なくとも一つのコマンドシーケンスブロック（Ｂ）を、実行前に解釈するステップを含むことを特徴とする、請求項９に記載の方法。
【請求項１４】  シーケンスブロック（Ｂ）のコマンド（ＣＤ）の実行の期間中に、カードメモリ（Ｍ１）においてシーケンスブロックの少なくとも一つの他のコマンド（ＣＤ）を受信するステップを含むことを特徴とする請求項９に記載の方法。
【手続補正書】
【提出日】平成19年6月27日(2007.6.27)
【手続補正１】
【補正対象書類名】明細書
【補正対象項目名】特許請求の範囲
【補正方法】変更
【補正の内容】
【特許請求の範囲】
【請求項１】  会議参加者間で遠隔会議を可能にする方法であって、
参加者に少なくとも１つの会議用フォームを提供する段階であって、前記会議用フォームは遠隔会議セッションに関する情報を含み、また前記会議用フォームの識別と前記会議用フォームの少なくとも１つの基準点を示す符号化データを含む前記段階と、
コンピュータシステムにおいて、会議セッションに参加している前記会議参加者が操作する検出デバイスから表示データを受信する段階であって、前記表示データは、会議用フォームの識別と会議用フォームを基準とする検出デバイスの位置に関し、前記検出デバイスは、会議用フォームを基準とする操作位置に配置された時、少なくともいくつかの符号化データを用いて、表示データを検出する前記段階と、
前記コンピュータシステムにおいて又前記表示データから、前記会議セッションに関する少なくとも１つのパラメータを識別する段階と、
前記会議参加者から遠隔にいる少なくとも１人の他の会議参加者に、少なくとも１つのパラメータを表す情報を含む少なくとも１つの会議用フォームを提供する段階と、を含むことを特徴とする方法。
【請求項２】  請求項１に記載の方法であって、前記会議セッションに関する前記少なくとも１つのパラメータは、前記会議用フォームの少なくとも１つの領域と対応し、また前記方法は、前記コンピュータシステムにおいてまた前記検出デバイスが配置されている領域を基準とする領域から、前記少なくとも１つのパラメータを識別する段階を含むことを特徴とする方法。
【請求項３】  請求項２に記載の方法であって、
前記コンピュータシステムにおいて、検出デバイスの前記会議用フォームを基準とする動きに関するデータを受信する段階であって、前記検出デバイスは、前記会議用フォームを基準として、少なくともいくつかの前記符号化データを用いてその動きを検出する前記段階と、
前記コンピュータシステムにおいて又少なくとも部分的に前記少なくとも１つの領域内の前記動きから、会議セッションの前記少なくとも１つのパラメータを識別する段階と、を含むことを特徴とする方法。
【請求項４】  会議参加者間で遠隔会議を可能にする方法であって、
参加者に少なくとも１つの会議用フォームを提供する段階であって、前記会議用フォームは、遠隔会議セッションに関する情報を含み、また遠隔会議セッションの少なくとも１
つのパラメータを示す符号化データを含む前記段階と、
コンピュータシステムにおいて、前記会議参加者が操作する検出デバイスから、前記少なくとも１つのパラメータ及び前記会議用フォームを基準とする検出デバイスの動きに関するデータを受信する段階であって、前記検出デバイスは、前記会議用フォームを基準として移動した時、少なくともいくつかの前記符号化データを用いて、前記少なくとも１つのパラメータに関するデータを検出し、前記会議用フォームを基準とするそれ自身の動きに関するデータを生成する前記段階と、
前記コンピュータシステムにおいて、検出デバイスの前記動きを、それが前記少なくとも１つのパラメータに関するものであると解釈する段階と、
前記会議参加者から遠隔にいる少なくとも１人の他の会議参加者に、少なくとも１つのパラメータを表す情報を含む少なくとも１つの会議用フォームを提供する段階と、を含むことを特徴とする方法。
【請求項５】  請求項１又は４に記載の方法であって、前記パラメータは会議セッションのアクションパラメータであり、前記方法は、前記コンピュータシステムにおいて、前記アクションパラメータに関する操作を実行する段階を含むことを特徴とする方法。
【請求項６】  請求項１又は４に記載の方法であって、前記パラメータは遠隔会議セッションのオプションパラメータであり、前記方法は、前記コンピュータシステムにおいて、参加者が検出デバイスによって手書きマークを入力したことを識別し、前記コンピュータシステムにおいて前記オプションパラメータに対応した操作を実行する段階を含むことを特徴とする方法。
【請求項７】  請求項１又は４に記載の方法であって、前記パラメータは遠隔会議セッションのテキストパラメータであり、前記方法は、前記コンピュータシステムにおいて、参加者が検出デバイスによって手書きテキストデータを入力したことを識別し、前記コンピュータシステムにおいて前記テキストパラメータに対応した操作を実行する段階を含むことを特徴とする方法。
【請求項８】  請求項７に記載の方法であって、前記コンピュータシステムにおいて、前記手書きテキストデータをコンピュータテキストに変換する段階を含むことを特徴とする方法。
【請求項９】  請求項１又は４に記載の方法であって、前記パラメータは、遠隔会議セッションの許可パラメータであり、前記方法は、前記コンピュータシステムにおいて、参加者が検出デバイスによって手書きの署名を入力したことを識別し、前記コンピュータシステムにおいて前記許可パラメータに対応した操作を実行する段階を含むことを特徴とする方法。
【請求項１０】  請求項９に記載の方法であって、前記コンピュータシステムにおいて、前記署名は参加者のものであることを検証する段階を含むことを特徴とする方法。
【請求項１１】  請求項１０に記載の方法であって、前記許可パラメータは白板頁の更新と対応していることを特徴とする方法。
【請求項１２】  請求項１又は４に記載の方法であって、前記パラメータは、遠隔会議セッションのグラフィックパラメータであり、前記方法は、前記コンピュータシステムにおいて、参加者が検出デバイスによって手書きのグラフィック情報を入力したことを識別し、前記コンピュータシステムにおいて、前記グラフィックパラメータに対応した操作を実行する段階を含むことを特徴とする方法。
【請求項１３】  請求項１２に記載の方法であって、前記グラフィックパラメータは白板頁への書込みと対応していることを特徴とする方法。
【請求項１４】  請求項１又は４に記載の方法であって、前記会議用フォームをオンデマンドで出力する段階を含むことを特徴とする方法。
【請求項１５】  請求項１４に記載の方法であって、前記会議用フォームを表示面画成手段の表示面上に出力する段階を含み、会議用フォームが出力されると同時に、前記表示面上に符号化データを出力する段階とを含むことを特徴とする方法。
【手続補正書】
【提出日】平成19年9月27日(2007.9.27)
【手続補正１】
【補正対象書類名】明細書
【補正対象項目名】特許請求の範囲
【補正方法】変更
【補正の内容】
【特許請求の範囲】
【請求項１】
テスタへの複数の電気接続部を含んでいるフレキシブル配線基板と、
該配線基板に配置された複数の端子であって、該複数の端子のうちの一部は、該テスタへの複数の電気接続部のうちの一部に電気的に接続されている、複数の端子と、
該複数の端子を試験対象の電子デバイスの試験特徴に電気的に相互接続するように配置された複数のコンプライアント細長プローブと
を備える、プローブアセンブリ。
【請求項２】
前記電子デバイスを前記プローブに近接して支持するための手段をさらに備える、請求項１に記載のプローブアセンブリ。
【請求項３】
前記基板を曲げ、それによって、前記複数のプローブのうちの一部を前記試験特徴のうちの一部に係合させるための手段をさらに備える、請求項２に記載のプローブアセンブリ。
【請求項４】
前記基板または前記電子デバイスのうちの１つに配置された少なくとも１つの停止構造体であって、該電子デバイスと該基板との最小間隔を規定する少なくとも１つの停止構造体をさらに備える、請求項１に記載のプローブアセンブリ。
【請求項５】
前記基板の前記電気接続部を前記テスタに接続するための手段をさらに備える、請求項１に記載のプローブアセンブリ。
【請求項６】
前記基板に配置された少なくとも１つの電子デバイスをさらに備える、請求項１に記載のプローブアセンブリ。
【請求項７】
前記電子デバイスは、集積回路を含む、請求項６に記載のプローブアセンブリ。
【請求項８】
前記電子デバイスは、試験回路を含む、請求項６に記載のプローブアセンブリ。
【請求項９】
前記プローブは、弾性である、請求項１に記載のプローブアセンブリ。
【請求項１０】
前記プローブは、ばねである、請求項１に記載のプローブアセンブリ。
【請求項１１】
複数の第１の電気接触部を備えるフレキシブル基板と、複数の第２の電気接触部を備える電子デバイスとの間に電気的接続をもたらす方法であって、
該複数の第１の電気接触部のうちの一部が該複数の第２の電気接触部のうちの対応する電気接触部に近接して配置されるように、該フレキシブル基板を該電子デバイスに近接して配置することと、
該フレキシブル基板を曲げることにより、該複数の第１の電気接触部のうちの一部を該複数の第２の電気接触部のうちの一部と接触させることと
を包含し、
該複数の第１の電気接触部または該複数の第２の電気接触部のうちの１つは、コンプライアント細長プローブを含む、方法。
【請求項１２】
前記複数の第１の電気接触部は、コンプライアント細長プローブを含む、請求項１１に記載の方法。
【請求項１３】
前記複数の第１の電気接触部は、弾性である、請求項１２に記載の方法。
【請求項１４】
前記複数の第１の電気接触部は、ばねである、請求項１２に記載の方法。
【請求項１５】
前記複数の第１の電気接触部は、コンプライアント細長プローブを含む、請求項１１に記載の方法。
【請求項１６】
前記複数の第２の電気接触部は、弾性である、請求項１５に記載の方法。
【請求項１７】
前記複数の第２の電気接触部は、ばねである、請求項１５に記載の方法。
【請求項１８】
テスタから前記電子デバイスに関するデータを受信することをさらに包含する、請求項１１に記載の方法。
【請求項１９】
前記電子デバイスによって生成された応答信号をテスタに送信することをさらに包含する、請求項１１に記載の方法。
【請求項２０】
前記フレキシブル基板は、少なくとも１つの配線層を含む、請求項１１に記載の方法。
【請求項２１】
少なくとも１つの電子デバイスを前記フレキシブル基板に配置することをさらに包含する、請求項１１に記載の方法。
【請求項２２】
前記曲げることは、流体チャンバから生成された圧力に応答する、請求項１１に記載の方法。
【請求項２３】
流体チャンバをさらに備える、請求項３に記載のプローブアセンブリ。
【手続補正書】
【提出日】平成19年7月30日(2007.7.30)
【手続補正１】
【補正対象書類名】明細書
【補正対象項目名】請求項１６
【補正方法】変更
【補正の内容】
【請求項１６】  各命令のオペランドがこの命令により操作されるデータタイプに属し、このオブジェクト・コードの命令によりレジスタに書込まれた所与のタイプのオペランドが、同じ所与のデータタイプを有するこのオブジェクト・コードの別の命令により同じレジスタから再び読み出される、プログラム断片のオブジェクト・コードを、この同じプログラム断片に対する標準化されたオブジェクト・コードに変換する方法であって、
この同じプログラム断片に対する標準化されたオブジェクト・コードは、各命令のオペランドがこの命令により操作されるデータタイプに属し、同じデータタイプが前記標準化されたオブジェクト・コード全体にわたって同じレジスタに割当てられており、
前記プログラム断片のオブジェクト・コードを、この同じプログラム断片に対する標準化されたオブジェクト・コードに変換する方法において、
前記変換する方法は、前記オブジェクト・コードの全ての命令に対して、
−      注釈データはこの命令に関連するデータ流の分析により計算され、各現在の命令を、この命令の実行の前および後のレジスタのデータタイプで注釈することと、
−      種々のタイプで採用されている元のレジスタを検出することにより、それらの元のレジスタを、別々の標準化されたレジスタ−、即ち、使用される各データタイプごとに１つの標準化されたレジスタ−、に分割することにより、および前記標準化されたレジスタを使用するオペランドを操作する命令を再更新することによりレジスタの再割り当てを実行することとを、
含むことを特徴とする、プログラム断片のオブジェクト・コードを、この同じプログラム断片に対する標準化されたオブジェクト・コードに変換する方法。
【手続補正２】
【補正対象書類名】明細書
【補正対象項目名】請求項２１
【補正方法】変更
【補正の内容】
【請求項２１】  請求項４から１４のいずれか１項に記載の検証する方法に従って、ダウンロードされたプログラム断片を検証する少なくとも１つのサブプログラムモジュールを含むことを特徴とする請求項２０に記載のオンボードシステム。
【手続補正書】
【提出日】平成19年8月8日(2007.8.8)
【手続補正１】
【補正対象書類名】明細書
【補正対象項目名】特許請求の範囲
【補正方法】変更
【補正の内容】
【特許請求の範囲】
【請求項１】
タニケット関連傷害から患者の肢部を保護するための装置であって、
前記肢部の外周長が所定最小値より長く所定最大値より短い部位で前記肢部に適用される肢部保護用スリーブと、該肢部保護用スリーブに巻き付けるのに十分な長さを有するタニケット・カフと、前記所定最小値および前記所定最大値の表示を使用者に対して与える認識可能な同定手段とを含み、
前記スリーブは、管状の形態と前記所定値未満に設計された外周長とを有し、前記肢部に適用されときに、前記部位での前記肢部の外周長と実質的に等しい長さになるべく前記管状外周を増大させるのに十分な程度弾性伸長できるよう形成されており、所定最小値より大きく所定最大値より小さい圧力を前記肢部に与える、タニケット関連傷害から患者の肢部を保護するための装置。
【請求項２】
前記同定手段は、前記カフ上に付された視認可能な特定色と、前記スリーブ上に付された視認可能な前記特定色と同色の色とを含む、請求項１に記載の装置。
【請求項３】
前記同定手段は、前記スリーブ上に付された視認可能な符号を含む、請求項１に記載の装置。
【請求項４】
前記同定手段は、前記スリーブと前記カフとの両者が収納される密封パッケージを含む、請求項１に記載の装置。
【請求項５】
前記タニケット・カフは、膨張可能であり、該膨張可能なタニケット・カフに前記肢部の血流を止めるのに十分な圧力のガスを供給するためのタニケット装置を含む、請求項１に記載の装置。
【請求項６】
タニケット関連障害から患者の肢部を保護するための装置であって、
所定最小値より長く所定最大値より短い範囲にある外周長の前記肢部に巻き付くのに十分な長さと、前記範囲を表す第１の印とを有しているタニケット・カフと、
管状の形態と伸縮しないときの外周が前記所定最小値未満である管状の伸縮可能な肢部保護用スリーブと、該スリーブと前記カフの前記第１の印とを照合させるための使用者が視認できる照合手段とを含み、
前記スリーブは、前記範囲にある外周長の前記肢部に所定最小値以上所定最大値以下の圧力を与えるよう形成されている、タニケット関連傷害から患者の肢部を保護するための装置。
【請求項７】
前記照合手段は、前記カフ上の前記第１の印と対応する第２の印を前記スリーブ上に含む、請求項６に記載の装置。
【請求項８】
前記スリーブは、二層からなり、一層は他の一層の上に折り返し端を介して折り重ねられており、折り返されていない側の端部は互いに縫合されている、請求項７に記載の装置。
【請求項９】
前記第２の印は、前記スリーブの前記縫合端に付されている、請求項８に記載の装置。
【請求項１０】
前記カフは、所定の幅を有し、前記肢部に巻かれるときに筒状の形状をなし、
前記スリーブは、前記カフよりも十分に広い幅に設計されており、前記カフが前記肢部に巻かれるときに、前記スリーブの一部は前記肢部を囲む前記カフの下に横たわり、前記スリーブの他の部分は前記カフの上に折り返されている、請求項６に記載の装置。
【請求項１１】
さらに前記カフに取り付けられ該カフを加圧する装置を有する、請求項６に記載の装置。
【請求項１２】
前記第１の印と前記第２の印が同色である、請求項７に記載の装置。
【請求項１３】
一定長の幅と、一定長の長手と、固定機構とを有するタニケット・カフと、伸長しないときの外周長が前記カフの所定範囲の最小値未満であり、厚さが一様な管状の伸長可能なスリーブと、前記カフと前記スリーブのぞれぞれ対応するサイズの視覚的表示を使用者に与える照合手段とを含む、タニケット・カフおよびスリーブのシステムであって、
前記カフは、自らの上に重なって前記所定範囲の外周長の円筒形状をなすよう柔軟性を有し、
前記固定機構は、前記カフを前記所定範囲の外周長の前記円筒形状に係合固定し、
前記スリーブは、前記所定範囲の外周長の肢部に所定最小値以上所定最大値以下の圧力を与えるよう形成されており、かつ、前記カフが前記円筒形状をなしているときに前記スリーブの一部が前記カフの下に横たわり、前記スリーブの他の部分が前記カフを覆うよう前記カフの前記幅よりも長い幅を有している、タニケット・カフおよびスリーブのシステム。
【請求項１４】
一定長の幅と、一定長の長手と、固定機構とを有するタニケット・カフと、肢部の血流を止めるべく前記カフに圧力を与えるための前記カフに接続されているタニケット装置と、伸長しないときの外周長が前記肢部の外周長未満であり、厚さが一様な管状の伸長可能なスリーブとを含む、タニケット・カフおよびスリーブのシステムであって、
前記カフは、自らの上に重なって前記肢部を囲む円筒形状をなすよう柔軟性を有し、
前記スリーブは、一定範囲の外周長の前記肢部に所定最小値以上所定最大値以下の圧力を与えるよう形成されており、かつ、前記肢部上の前記カフの下に横たわるよう形状が定められている、タニケット・カフおよびスリーブのシステム。
【請求項１５】
さまざまなサイズの伸長可能なスリーブのうちあるサイズのものと、所定外周長の肢部を囲む特定サイズのタニケット・カフとを関連づける方法であって、
伸長しない状態での外周長が前記肢部の前記外周長未満であり、第１の所定値以上第２の所定値以下の圧力を前記肢部に与えるスリーブを選択するステップと、
該選択されたスリーブに前記カフとの関連性を示す態様で印を付すステップとを含む、方法。
【請求項１６】
前記選択するステップは、前記第１の所定値を２mmHgに定めるステップを含む、請求項１５に記載の方法。
【請求項１７】
前記印を付すステップに代えて、関連するカフとスリーブとを同一のパッケージに包むステップを含む、請求項１５に記載の方法。
【請求項１８】
外周長が所定最小値より長く所定最大値より短い範囲にある肢部に巻き付けられるのに十分な長さと、前記範囲を表示する第１の印とを有するタニケット・カフと、
伸長しない状態での外周が前記所定最小値未満であり、管状の伸長可能な肢部保護用スリーブと、
前記スリーブに施され、前記スリーブと前記カフ上の前記第１の印とを照合させるための使用者が視認できる照合手段とを有する、タニケット関連傷害から患者の肢部を保護するための装置。
【手続補正書】
【提出日】平成19年6月21日(2007.6.21)
【手続補正１】
【補正対象書類名】明細書
【補正対象項目名】請求項３
【補正方法】変更
【補正の内容】
【請求項３】  前記スロットが、前記突出部を設定位置に位置決めするために、前記筒状体の軸線に対して垂直になっている短い部分を有する、請求項２に記載の医療用皮膚穿刺装置。
【手続補正２】
【補正対象書類名】図面
【補正対象項目名】図７
【補正方法】変更
【補正の内容】
【図７】
2003507113.tif 000001
【手続補正書】
【提出日】平成19年7月26日(2007.7.26)
【手続補正１】
【補正対象書類名】明細書
【補正対象項目名】特許請求の範囲
【補正方法】変更
【補正の内容】
【特許請求の範囲】
【請求項１】 
液体原料混合物の濃縮方法であって、
初期の濃度にある諸成分の原料混合物であって、前記原料混合物に可溶で、前記原料混合物の上にあるときは第１の蒸気圧を持つ揮発性成分を含む原料混合物と、ストリップ溶液であって、前記ストリップ溶液の上にあるときは前記揮発性成分が前記第１の蒸気圧とは異なる第２の蒸気圧を持つストリップ溶液とを用意し、 
二面を有する膜構造物であって、その一面が非孔性膜であって、少なくとも約１５％の自由体積を持つ重合体組成から成り、前記揮発性成分に透過性で、かつ、前記原料混合物あるいは前記ストリップ溶液のいずれによっても湿潤されない組成の非孔性膜より成り、第２の面が前記非孔性膜と同延であることを特徴とする二面を有する膜構造物を用意し、 
前記原料混合物を前記非孔性膜と接触させると同時に前記ストリップ溶液を前記微孔性基質と接触させ、
前記第２の蒸気圧を前記第１の蒸気圧より低く維持し、それによって、前記揮発性成分を前記原料混合物から膜を透過させて前記ストリップ溶液に移送して、前記非揮発性成分以外の成分が初期濃度より高濃度で含む濃縮液体混合物を生成し、 次いで、
前記濃縮液体混合物を取り出す工程からなることを特徴とする濃縮方法。
【請求項２】 
前記非孔性膜が、平面シート、ひだ付きシート、螺旋状巻きシート、管、管状リボン、及び中空繊維から成る群から選ばれた１つの形態であることを特徴とする請求項１に記載の方法。
【請求項３】
前記揮発性成分が水又はアルコールであることを特徴とする請求項１に記載の方法。
【請求項４】
前記原料混合物物が糖類、多糖類、カルボン酸塩類、蛋白質、果汁、野菜汁、スープ・ブロース、コーヒー、茶、栄養剤、ラテックス、生体物質、ワクチン、ペプチド、ホルモン、組替え蛋白質、酵素、核酸、抗生物質、抗黴剤、及びオリゴペプチドから成る醗酵生成物、動物体液、及びこれらの混合物から成る群から選ばれた温度敏感な物質より成ることを特徴とする請求項１に記載の方法。
【請求項５】
前記果汁がオレンジ・ジュース、ブドウ・ジュース、パイナップル・ジュース、りんごジュース、西洋ナシ・ジュース、クランベリー・ジュース及びこれらの混合物から成る群から選ばれることを特徴とする請求項４に記載の方法。
【請求項６】
前記果汁がオレンジ・ジュースであることを特徴とする請求項５に記載の方法。
【請求項７】
前記ストリップ溶液がハロゲン化アルカリ塩、ハロゲン化アルカリ土類塩、水酸化アルカリ、及びこれらの混合物から成る群から選ばれた成分であることを特徴とする請求項１に記載の方法。
【請求項８】
前記成分が塩化ナトリウム、塩化カルシウム、塩化マグネシウム、リン酸モノカリウム塩、正リン酸二カリウム塩、硫酸マグネシウム、塩化リチウム、臭化リチウム、ヨウ化リチウム、ヨウ化カリウム、ヨウ化ナトリウム及び混合物から成る群から選ばれることを特徴とする請求項７に記載の方法。
【請求項９】
重合体組成がポリトリメチルシリルプロピン及び過フロロ−２，２−ジメチル−１、３−ジオキソール無定形共重合体から成る群から選ばれる高自由体積の重合体から成ることを特徴とする請求項１に記載の方法。
【請求項１０】
初期濃度にある諸成分の液体原料混合物を濃縮するための浸透蒸留装置であって、 前記原料混合物が、前記原料混合物に可溶で、前記混合物の上にあるときは第１の蒸気圧を持つ揮発性の成分を含み、前記装置が、前記揮発性成分を透過させる非孔性膜と、前記非孔性膜に隣接し同延する微孔性基質とを有することを特徴とする二面を有する膜構造物と、前記原料混合物を前記非孔性膜と接触させる手段と、 第１の蒸気圧とは異なる第２の蒸気圧にある前記揮発性成分を含むストリップ溶液を前記微孔性基質と接触させる手段と、第２の蒸気圧を第１の蒸気圧より低く維持し、それによって、揮発性成分を原料混合物から膜を透過させてストリップ溶液に移送する手段とから成り、 該装置においては、前記非孔性膜組成が前記原料混合物あるいはストリップ溶液のいずれによっても湿潤されなく、前記非孔性膜が自由体積を少なくとも約１５％持つ重合体から成ることを特徴とする蒸留装置。
【手続補正書】
【提出日】平成19年4月18日(2007.4.18)
【手続補正１】
【補正対象書類名】明細書
【補正対象項目名】特許請求の範囲
【補正方法】変更
【補正の内容】
【特許請求の範囲】
【請求項１】  高さが直径の何倍も大きく同心状の中心管およびミキサーを備えた管状の反応器を含み、酸素を含むガスを用いて固形分を含有するスラッジのリーチングを行う装置において、前記反応器の中心管は該反応器の底部まで延在し、前記中心管の下端のごく近傍に複動ミキサーが配され、該複動ミキサーのシャフトは前記反応器の底部から立ち上がっていて、酸素を含むガスの供給部材は前記ミキサーの底部の下に延びていることを特徴とするリーチングを行う装置。
【請求項２】  請求項１に記載のミキサーにおいて、前記複動ミキサーは水平板を含み、該水平板の下面にはこれと実質的に垂直な下側ブレードが固定され、該水平板の上面には湾曲した上側ブレードが固定されていることを特徴とするミキサー。
【請求項３】  請求項２に記載のミキサーにおいて、前記下側ブレードは略長方形の形状を有することを特徴とするミキサー。
【請求項４】  請求項２に記載のミキサーにおいて、前記上側ブレードの下部は略長方形の形状を有し、上方に向けてなだらかなテーパ形状を有することを特徴とするミキサー。
【請求項５】  請求項１に記載の装置において、前記複動ミキサーの上部は前記中心管の内側に配されることを特徴とする装置。
【請求項６】  請求項１に記載の装置において、前記複動ミキサーと中心管との間に確保される流れ断面積は、該中心管の流れ断面積の半分未満であり、好ましくは最大３分の１であることを特徴とする装置。
【請求項７】  請求項１に記載の装置において、前記中心管の下部に円錐状の拡径部が設けられていることを特徴とする装置。
【請求項８】  請求項１に記載の装置において、前記中心管の上部に円錐状の拡径部が設けられていることを特徴とする装置。
【請求項９】  請求項１に記載の装置において、前記反応器の底面から前記中心管の下端までの高さは、該反応器の直径の0.2〜1.0倍であり、好ましくは0.3〜0.5倍であることを特徴とする装置。
【請求項１０】  請求項１に記載の装置において、前記中心管とこれを包囲するケーシングとの断面積比は、0.1未満であることを特徴とする装置。
【手続補正書】
【提出日】平成19年7月25日(2007.7.25)
【手続補正１】
【補正対象書類名】明細書
【補正対象項目名】特許請求の範囲
【補正方法】変更
【補正の内容】
【特許請求の範囲】
【請求項１】  蒸気、臭気または粒子を除去するための、高い効率および低い圧力降下を有する濾過媒体であって、
複数の濾過層を具備し、少なくとも１つの該濾過層に、該少なくとも１つの濾過層の全体に亙る複数の連続的な蛇行状のチャネルと該複数のチャネルの各端部における多次元エッジとを有する多次元チャネルパターンが形成され、該複数の濾過層が積層体として形成され、該少なくとも１つの濾過層の該チャネルパターンは、該積層体の第１面を貫通して開口する複数の入口と、該積層体の第２面を貫通して開口する複数の出口と、該複数の入口から該積層体を通って該複数の出口まで延びる対応数の分裂した流体経路とを形成し、該少なくとも１つの濾過層が、高分子材料コアと上下の接着剤層とを有する多層ファイバストランドを具備する不織フィルタ材から形成されること、
を特徴とする濾過媒体。
【請求項２】  高い効率および低い圧力降下を有する濾過媒体を形成する方法であって、
高分子材料コアと上下の接着剤層とを有する多層ファイバストランドを具備する不織フィルタ材から形成される濾過ウェブを用意するステップと、
前記濾過ウェブの少なくとも一部に、該濾過ウェブの全体に亙る複数の連続的な蛇行状のチャネルと該複数のチャネルの各端部における多次元エッジとを有する多次元チャネルパターンを形成するステップと、
少なくとも１つの濾過層が前記濾過ウェブの前記多次元チャネルパターンの部分から形成されるように、該濾過ウェブから複数の濾過層を形成するステップと、
前記複数の濾過層を積層して積層体を形成し、それにより、前記少なくとも１つの濾過層の前記多次元チャネルパターンが、該積層体の第１面を貫通して開口する複数の入口と、該積層体の第２面を貫通して開口する複数の出口と、該複数の入口から該積層体を通って該複数の出口まで延びる対応数の分裂した流体経路とを有するようにするステップと、
を含むことを特徴とする方法。
【請求項３】  任意の場所の蒸気濃度レベルを低減するための、高い効率および低い圧力降下を有する濾過媒体の使用方法であって、
請求項１に記載の濾過媒体を用意するステップと、
前記濾過媒体を、蒸気濃度レベルを低減するべき場所に配置するステップと、
を含む方法。
【手続補正書】
【提出日】平成19年8月14日(2007.8.14)
【手続補正１】
【補正対象書類名】明細書
【補正対象項目名】特許請求の範囲
【補正方法】変更
【補正の内容】
【特許請求の範囲】
【請求項１】
ａ）その第１の面から第２の面へ延びる穴の配列を備え、それらの穴が、少なくとも１つのブリストルを含んで成る毛束を受け入れるように構成されている金属部品と、
ｂ）前記穴の配列に対応した指状突起の配列を備え、それらの指状突起が端部壁から前記穴内へ延びている合成樹脂部品と
を具備した複合ブラシ成形型。
【請求項２】
前記金属部品はキャビティを更に備え、
このキャビティは、前記穴が当該キャビティから延びるように前記金属部品の第１の面に位置決めされると共に、口腔ブラシにおいてブリストルの毛束がそこから延びる部分を輪郭付けている、請求項１記載の成形型。
【請求項３】
前記合成樹脂部品は、
ベース部と、
このベース部から、当該ベース部に対して第１の角度で延びる第１の指状突起と、
前記ベース部から、当該ベース部に対して、前記第１の角度とは異なる第２の角度で延びる第２の指状突起と
を更に備える、請求項１記載の成形型。
【請求項４】
前記指状突起を前記金属部品内の適所に保持するように配置されたカバーを更に備えた、請求項１記載の成形型。
【請求項５】
前記穴の配列は、第１の複数の穴と、第２の複数の穴とを備え、
前記合成樹脂部品は、前記第１の複数の穴内に挿入されるよう寸法決めされた複数の指状突起を有する第１の部品と、前記第２の複数の穴内に挿入されるよう寸法決めされた複数の指状突起を有する第２の部品とを更に備える、請求項１記載の成形型。
【請求項６】
前記第１の複数の穴は、前記第１の面に対して第１の角度で延びており、前記第２の複数の穴は、前記第１の面に対して、前記第１の角度とは異なる第２の角度で延びている、請求項５記載の成形型。
【請求項７】
前記合成樹脂部品は、
ベース部と、
このベース部から、前記第１の複数の穴の角度に対応した角度で延びる第１の複数の指状突起と、
前記ベース部から、前記第２の複数の穴の角度に対応した角度で延びる第２の複数の指状突起と
を備える、請求項５記載の成形型。
【請求項８】
前記第１の複数の穴は第１の断面を有し、前記前記第２の複数の穴は、前記第１の断面とは異なる第２の断面を有している、請求項５載の成形型。
【請求項９】
前記合成樹脂部品は、
前記第１の複数の穴に対応した複数の指状突起を有する第１の副部品と、
ベース部と、前記第２の複数の穴に対応した複数の指状突起とを有する第２の副部品と
を更に備える、請求項８記載の成形型。
【請求項１０】
前記第１の複数の穴は断面が円形ないし楕円形である、請求項８記載の成形型。
【請求項１１】
前記第１の複数の穴は断面が円形であり、前記第２の複数の穴は断面が楕円形である、請求項８記載の成形型。
【請求項１２】
複数のキャビティを更に具備し、
これらのキャビティは、前記穴の配列が当該キャビティから前記第２の面まで延びるように前記金属部品の第１の面に配置されると共に、口腔ブラシにおいてそこから毛束が延びる部分を輪郭付けている、請求項１記載の成形型。
【請求項１３】
前記第１の複数の穴が前記第２の複数の穴とは異なると共に、
前記合成樹脂部品は、
ベース部と、前記第１の複数の穴に対応した複数の指状突起を有する第１の副部品と、
ベース部と、前記第２の複数の穴に対応した複数の指状突起とを有する第２の副部品と
を更に備える、請求項５記載の成形型。
【手続補正書】
【提出日】平成19年8月20日(2007.8.20)
【手続補正１】
【補正対象書類名】明細書
【補正対象項目名】特許請求の範囲
【補正方法】変更
【補正の内容】
【特許請求の範囲】
【請求項１】  雌性動物の頸管部に対し麻酔剤を局所的に送達し即時徐放するための器具において：
（ａ）１つの表面及びこの表面上の少なくとも１つのくぼみを有するリング、ここで当該少なくとも１つのくぼみは所定量の麻酔薬を受容するように設計され、ここで当該リングは薬学的に受容可能な不活性材料で構成され、該雌性動物の膣管内に挿入されるための所定のサイズをもつ；
（ｂ）前記少なくとも１つのくぼみ内に位置設定された麻酔剤組成物、ここで当該麻酔組成物は治療的な量の前記麻酔薬と、当該器具を膣管内に挿入した時点で、当該麻酔薬の当該麻酔剤組成物からの即時徐放を促進する賦形剤とを含み、かくして前記雌性動物の頸管部内で一時的麻酔を誘発する；
を含んで成る、器具。
【請求項２】  前記薬学的に受容可能な不活性材料がエチレン−酢酸ビニル共重合体、ポリエチレン、ポリプロピレン、ポリウレタン、ポリ塩化ビニル、セルロース誘導体、熱可塑性ゴム、熱可塑性エラストマ又はポリジメチルシロキサンを含んで成る、請求項１に記載の器具。
【請求項３】  前記麻酔剤組成物が、約６０重量％の前記麻酔薬及び約４０重量％の前記賦形剤を含む、請求項１に記載の器具。
【請求項４】  前記麻酔薬が、ブピバカイン、ロピバカイン、ジブカイン、プロカイン、クロロプロカイン、プリロカイン、メピバカイン、エチドカイン、テトラカイン、リドカイン、ベンゾカイン、又はそれらの混合物を含んで成り、前記麻酔剤が遊離塩基形態、酸性付加塩形態又はそれらの混合物の形をしている、請求項１に記載の器具。
【請求項５】  前記賦形剤が飽和ポリグリコール化グリセリド、ブロック共重合体界面活性剤、乳化剤、モノラウリン酸グリセリル、シリコーン、微結晶性セルロース、ヒドロキシエチルセルロース、エチルセルロース、ヒドロキシプロピルメチルセルロース、ポリメチルメタクリレート、ポリビニルピロリドン又はそれらの混合物を含んで成る、請求項１に記載の器具。
【請求項６】  前記少なくとも１つのくぼみが、前記リングの前記表面上の少なくとも１つの切欠きを構成している、請求項１に記載の器具。
【請求項７】  前記リングの前記表面が、上部表面、下部表面、内部表面及び外部表面を含み、前記少なくとも１つの切欠きが前記外部表面上の複数の切欠きを構成している、請求項６に記載の器具。
【請求項８】  前記少なくとも１つのくぼみが、前記リングの前記表面上の少なくとも１つの溝路を構成している、請求項１に記載の器具。
【請求項９】  前記リングの前記表面が、上部表面、下部表面、内部表面及び外部表面を含み、前記少なくとも１つの溝路が前記上部表面上に位置設定されている、請求項８に記載の器具。
【請求項１０】  前記リングの前記表面が、上部表面、下部表面、内部表面及び外部表面を含み、前記少なくとも１つの溝路が前記下部表面上に位置設定されている、請求項８に記載の器具。
【請求項１１】  前記リングの前記表面が、上部表面、下部表面、内部表面及び外部表面を含み、前記少なくとも１つの溝路が前記上部表面上に位置設定された第１の溝路及び前記下部表面上に位置設定された第２の溝路を構成している、請求項８に記載の器具。
【請求項１２】  前記リングの前記表面が、上部表面、下部表面、内部表面及び外部表面を含み、前記少なくとも１つの溝路が前記外部表面上に位置設定されている、請求項８に記載の器具。
【請求項１３】  前記少なくとも１つのくぼみが前記リングを通る少なくとも１つの中ぐりを構成する、請求項１に記載の器具。
【請求項１４】  前記リングの前記表面が、上部表面、下部表面、内部表面及び外部表面を含み、前記少なくとも１つの中ぐりが、前記上部表面から前記下部表面まで前記リングを貫通する複数の中ぐりを構成する、請求項１３に記載の器具。
【請求項１５】  雌性動物の頸管部に対し麻酔薬を局所的に送達し即時徐放して該頸管部を麻酔するための器具において：
（ａ）内部表面、外部表面、下部表面、上部表面及び前記外部表面上の溝路を有し、薬学的に受容可能な不活性材料で構成され、該雌性動物の膣管内に挿入されその中に一時的に保持されるための所定のサイズをもつリング；
（ｂ） 前記溝路内に位置設定された麻酔剤組成物、ここで当該麻酔組成物は治療的な量の前記麻酔薬と、当該器具を膣管内に挿入した時点で、当該麻酔薬の当該麻酔剤組成物からの即時徐放を促進する賦形剤とを含み、かくして前記雌性動物の頸管部内で一時的麻酔を誘発する；
を含んで成る、器具。
【請求項１６】  前記薬学的に受容可能な材料がエチレン−酢酸ビニル共重合体、ポリエチレン、ポリプロピレン、ポリウレタン、ポリ塩化ビニル、セルロース誘導体、熱可塑性ゴム、熱可塑性エラストマ又はポリジメチルシロキサンを含んで成る、請求項１５に記載の器具。
【請求項１７】  前記麻酔剤組成物が、約６０重量％の前記麻酔薬及び約４０重量％の前記賦形剤を含む、請求項１６に記載の器具。
【請求項１８】  前記賦形剤が飽和ポリグリコール化グリセリド、ブロック共重合体界面活性剤、乳化剤、モノラウリン酸グリセリル、シリコーン又はそれらの混合物を含んで成る、請求項１７に記載の器具。
【請求項１９】  前記麻酔薬が、ブピバカイン、ロピバカイン、ジブカイン、プロカイン、クロロプロカイン、プリロカイン、メピバカイン、エチドカイン、テトラカイン、リドカイン、ベンゾカイン、又はそれらの混合物を含んで成り、前記麻酔剤が遊離塩基形態、酸性付加塩形態又はそれらの混合物の形をしている、請求項１８に記載の器具。
【請求項２０】  前記麻酔剤組成物が約６０重量％のリドカイン及び約４０重量％の飽和ポリグリコール化グリセリドを含んで成る、請求項１９に記載の器具。
【請求項２１】  前記麻酔剤組成物が約６０重量％のリドカイン及び約４０重量％のブロック共重合体界面活性剤を含んで成る、請求項１９に記載の器具。
【請求項２２】  雌性動物の頸管部に対しリドカインを局所的に送達し即時徐放して該頸管部を麻酔するための器具において：
（ａ）内部表面、外部表面、下部表面、上部表面及び前記外部表面上の溝路を有し、エチレン−酢酸ビニル共重合体で構成され、該雌性動物の膣管内に挿入されその中に一時的に保持されるための所定のサイズをもつリング；
（ｂ）前記溝路内に位置設定された麻酔剤組成物、ここで当該麻酔組成物は約６０重量％のリドカインと、当該器具を膣管内に挿入した時点で、当該麻酔薬の当該麻酔剤組成物からの即時徐放を促進する約４０重量％の賦形剤とを含み、かくして前記雌性動物の頸管部内で一時的麻酔を誘発する；
を含んで成る、器具。
【請求項２３】  賦形剤が、ラウロイルマクロゴルグリセリド又はステアロイルマクロゴルグリセリドを含む飽和ポリグリコール化グリセリドを含んで成る、請求項２２に記載の器具。
【請求項２４】  前記賦形剤が、ブロック共重合体界面活性剤を含んで成る、請求項２２に記載の器具。
【手続補正書】
【提出日】平成19年8月22日(2007.8.22)
【手続補正１】
【補正対象書類名】明細書
【補正対象項目名】特許請求の範囲
【補正方法】変更
【補正の内容】
【特許請求の範囲】
【請求項１】  標的領域の崩壊を誘導し、肺の一の崩壊部分及び他のものとの接着を促進し、かつ肺の崩壊領域中のまたはその周辺の線維形成を促進する材料を含む、肺容積を減少するための生理学上許容できる組成物。
【請求項２】  該材料は、フィブリンまたはフィブリノーゲンを含む、請求項１に記載の組成物。
【請求項３】  さらにポリペプチド成長因子を含む、請求項１または２に記載の組成物。
【請求項４】  該ポリペプチド成長因子は、線維芽細胞成長因子（ＦＧＦ）またはトランスフォーミング成長因子−β様（ＴＧＦ−β様）ポリペプチドまたはトランスフォーミング成長因子（ＴＧＦ−β）である、請求項３に記載の組成物。
【請求項５】  該ＦＧＦは、塩基性の線維芽細胞成長因子（ｂＦＧＦ）である、請求項４に記載の組成物。
【請求項６】  さらに細胞外基質（ＥＣＭ）の成分またはＥＣＭ様物質を含む、請求項１〜５のいずれか１項に記載の組成物。
【請求項７】  該ＥＣＭの成分は、ヒアルロン酸（ＨＡ）、コンドロイチン硫酸（ＣＳ）、またはフィブロネクチン（Ｆｎ）を含む、請求項６に記載の組成物。
【請求項８】  該ＥＣＭ様物質は、ポリＬ−リシンまたはプロリン及びヒドロキシプロリンから構成されるペプチドを含む、請求項６に記載の組成物。
【請求項９】  さらに血管収縮を引き起こす物質を含む、請求項１〜８のいずれか１項に記載の組成物。
【請求項１０】  該血管収縮を引き起こす物質は、エンドセリン、エピネフリン、またはノルエピネフリンである、請求項９に記載の組成物。
【請求項１１】  さらにプロアポプトーシス物質を含む、請求項１〜１０のいずれか１項に記載の組成物。
【請求項１２】  該プロアポプトーシス物質は、スフィンゴミエリン、Ｂａｘ、Ｂｉｄ、Ｂｉｋ、Ｂａｄ、Ｂｉｍ、ｃａｓｐａｓｅ−３、ｃａｓｐａｓｅ−８、ｃａｓｐａｓｅ−９、またはアネキシンＶである、請求項１１に記載の組成物。
【請求項１３】  さらにフィブリノーゲン活性化因子を含む、請求項１〜１２のいずれか１項に記載の組成物。
【請求項１４】  該フィブリノーゲン活性化因子はトロンビンである、請求項１３に記載の組成物。
【請求項１５】  該フィブリノーゲンは、３〜１２％のフィブリノーゲンを含む、請求項２〜１４のいずれか１項に記載の組成物。
【請求項１６】  さらに第ＸＩＩＩａ因子トランスグルタミナーゼを含む、請求項１〜１５のいずれか１項に記載の組成物。
【請求項１７】  さらに抗生物質を含む、請求項１〜１６のいずれか１項に記載の組成物。
【請求項１８】  ポリペプチド成長因子及び
（ａ）フィブリノーゲンまたは
（ｂ）フィブリンモノマーまたは
（ｃ）フィブリノーゲン活性化因子
からなる、生理学上許容できる組成物。
【請求項１９】  該ポリペプチド成長因子は、線維芽細胞成長因子（ＦＧＦ）である、請求項１８に記載の組成物。
【請求項２０】  該ＦＧＦは、塩基性の線維芽細胞成長因子（ｂＦＧＦ）またはその生物学的に活性のある断片である、請求項１９に記載の組成物。
【請求項２１】  該ポリペプチド成長因子は、トランスフォーミング成長因子−β（ＴＧＦ−β）である、請求項１８に記載の組成物。
【請求項２２】  該フィブリンモノマーは、フィブリンＩモノマー、フィブリンＩＩモノマー、デスＢＢフィブリンモノマー、またはこれらの混合物若しくは組み合わせである、請求項１８〜２１のいずれか１項に記載の組成物。
【請求項２３】  該フィブリノーゲン活性化因子はトロンビンである、請求項１８〜２１のいずれか１項に記載の組成物。
【請求項２４】  さらに抗生物質を含む、請求項１８〜２３のいずれか１項に記載の組成物。
【請求項２５】  細胞外マトリックスの成分、ポリＬ−リシン、またはプロリン及びヒドロキシプロリンから構成されるペプチドならびに
（ａ）フィブリノーゲンまたは
（ｂ）フィブリンモノマーまたは
（ｃ）フィブリノーゲン活性化因子
からなる、生理学上許容できる組成物。
【請求項２６】  血管作用物質および
（ａ）フィブリノーゲンまたは
（ｂ）フィブリンモノマーまたは
（ｃ）フィブリノーゲン活性化因子
からなる、生理学上許容できる組成物。
【請求項２７】  プロアポプトーシス物質および
（ａ）フィブリノーゲンまたは
（ｂ）フィブリンモノマーまたは
（ｃ）フィブリノーゲン活性化因子
からなる、生理学上許容できる組成物。